(57)【要約】【課題】リモコン等によってポップアップ画面が表示されても番組を見損なうことがないテレビジョン受像機を提供する。【解決手段】記憶装置９を備え、リモコンによりポップアップ画面が表示されると、番組が記憶装置９に書き込まれる。ポップアップ画面が閉じられた後、記憶装置９に記録された番組を読み出し、タイムシフト再生を開始する。【選択図】図１
2005136688.tif 000002
【特許請求の範囲】
【請求項１】
テレビジョン信号を受信し、映像信号と音声信号に復調する復調手段と、
利用者の操作により画面上に所定の表示を指示する指示手段と、
前記指示手段出力に基づき、前記映像信号と音声信号を記録すると共に読み出す記録手段と、
前記指示手段出力に基づき、前記記録手段より得られる映像信号及び音声信号と前記復調手段より得られる映像信号及び音声信号とを選択的に取り出して映像出力及び音声出力を得る出力手段と、
を備えたことを特徴とするテレビジョン受像機。
【請求項２】
前記記録手段は、ＦＩＦＯより成り、前記指示手段は、による制御は、前記記録手段に前記利用者の操作により所定の表示が開始されるとともに前記ＦＩＦＯに対して前記復調手段からの映像信号及び音声信号の書き込みを開始し、前記利用者の操作による所定の表示の終了とともに前記ＦＩＦＯより読み出しを開始するように制御することを特徴とする請求項１記載のテレビジョン受像機。
【発明の詳細な説明】
【技術分野】
【０００１】
本発明は、オンスクリーン表示回路を有するテレビジョン受像機に関するものである。
【背景技術】
【０００２】
近年、オンスクリーン表示回路を有するテレビジョン受像機としては、例えばリモコン操作によってメニュー画面が表示される。メニュー画面が表示されると元々のテレビジョン映像がそれによって覆い隠されるため、その場所を移動できるものもある（例えば、特許文献１）。
【特許文献１】特開平８−１８６７７４号公報（第３頁）
【発明の開示】
【発明が解決しようとする課題】
【０００３】
しかしながら上記のような構成では、どこへメニュー画面を移動しようともその部分にある放送映像を見ることができず、また、仮にメニュー画面が大きく、テレビジョン受像機の画面全体に及ぶものである場合は、メニュー画面の動かしようもなくなり、全く放送映像を見ることができないという課題があった。
【０００４】
本発明は上記の問題点に鑑み、メニュー画面やヘルプ画面のようにテレビ視聴者が放送内容と異なる画面をテレビジョン受像機に表示した場合であっても、それによって放送を見逃すことのないテレビジョン受像機を提供するものである。
【課題を解決するための手段】
【０００５】
この課題を解決するために本発明のテレビジョン受像機は、テレビジョン信号を受信し、映像信号と音声信号に復調する復調手段と、利用者の操作により画面上に所定の表示を指示する指示手段と、指示手段出力に基づき、映像信号と音声信号を記録すると共に読み出す記録手段と、指示手段出力に基づき、記録手段より得られる映像信号及び音声信号と復調手段より得られる映像信号及び音声信号とを選択的に取り出して映像出力及び音声出力を得る出力手段とを備える。
【発明の効果】
【０００６】
以上のように本発明によれば、メニュー画面等のポップアップ画面の表示によって放送映像が見えなくなっても、メニュー画面が閉じた後に、実際の放送の後を追う形で見えなくなった放送映像を見ることができ、放送内容を逃すことなく視聴することができるという効果が得られる。
【発明を実施するための最良の形態】
【０００７】
本発明の請求項１に記載の発明は、テレビジョン信号を受信し、映像信号と音声信号に復調する復調手段と、利用者の操作により画面上に所定の表示を指示する指示手段と、前記指示手段出力に基づき、前記映像信号と音声信号を記録すると共に読み出す記録手段と、前記指示手段出力に基づき、前記記録手段より得られる映像信号及び音声信号と前記復調手段より得られる映像信号及び音声信号とを選択的に取り出して映像出力及び音声出力を得る出力手段と、を備えたものであり、これによりメニュー画面が表示されているときは復調手段により得られる映像信号及び音声信号を記憶装置に蓄え、メニュー画面が閉じた後でその部分を再生することにより、メニュー画面表示期間の番組内容を見逃すことがないという作用を有する。
【０００８】
また、請求項２に記載の発明は、請求項１に係る発明において、前記記録手段は、ＦＩＦＯより成り、前記指示手段は、による制御は、前記記録手段に前記利用者の操作により所定の表示が開始されるとともに前記ＦＩＦＯに対して前記復調手段からの映像信号及び音声信号の書き込みを開始し、前記利用者の操作による所定の表示の終了とともに前記ＦＩＦＯより読み出しを開始するように制御するものであり、これによりメニュー画面が表示されて以降は復調手段により得られる映像信号及び音声信号をＦＩＦＯに蓄え、メニュー画面が閉じた後でＦＩＦＯに蓄えられている映像信号及び音声信号をその冒頭部より再生していくことにより、メニュー画面表示期間の番組内容を見逃すことがないのみでなく、あたかもメニュー表示期間分だけ放送を待たせたかのようにして番組を見ることができるという作用を有する。
【０００９】
以下、本発明の実施の形態について図面を用いて説明する。
【００１０】
（実施の形態）
図１は、本発明の実施の形態によるテレビジョン受像機の構成を示すブロック図である。図１において、１は本実施の形態によるテレビジョン受像機、２はアンテナ、３は復調手段としてのチューナ、４はセレクタ、５は映像信号および音声信号に復調するＡＶ復調手段、６はＡＶ復調手段５からの音声信号に音量や音質等の調整を施し出力する音声出力回路、７はＡＶ復調手段５からの映像信号に表示データなどを重畳する等の処理を施す表示制御回路、８は表示制御回路７からの映像信号に画質等の調整を施し出力する映像出力回路、９はチューナ３の出力を記録し所定の遅延を与えて出力可能な記憶手段としての記憶装置、１０はリモートコントール装置（以下、リモコン）、１１はリモコン１０からの操作信号を受信するリモコン受信回路、１２はＣＰＵ回路、１３はＣＰＵ回路１２により実行されるメニュー設定手段、１４はＣＰＵ回路１２により実行される表示制御手段、１５はオンスクリーン表示回路、１６はＣＰＵ回路１２において利用されるメモリである。また、ＣＰＵ回路１２、メニュー設定手段１３および表示制御手段１４が指示手段に相当し、ＡＶ復調手段５、音声出力回路６および映像出力回路８が出力手段に相当する。
【００１１】
以下の図１に基づき説明すると、視聴者がリモコン１０を操作するとリモコン受信回路１１がそれを検出しＣＰＵ回路１２に操作内容を送出する。ＣＰＵ回路１２ではリモコン１０の操作に基づき、それに対応した処理を行う。例えば、リモコン１０による操作がチャンネル選択であれば、ＣＰＵ回路１２はチューナ３に対して該当チャンネルのテレビ信号をアンテナ２より取り出して検波すべく命令を与える。
【００１２】
テレビジョン受像機１では、通常は、セレクタ４はチューナ３出力をＡＶ復調手段５に送出する。ＡＶ復調手段５はセレクタ４より与えられたテレビ信号より音声信号と映像信号を復調する。音声信号は音声出力回路６を介してテレビ音声としてテレビジョン受像機１より出力される。また、映像信号は表示制御回路７を介して映像出力回路８に与えられ、テレビ映像として、例えばブラウン管等の表示手段（図示せず）に表示される。この時点では、表示制御回路７は入力されるテレビ映像に対して何の処理も行わずそのまま出力する。このようにしてテレビ信号の再生が行われる。
【００１３】
今仮に、リモコン１０による操作が音質選択であった場合は、ＣＰＵ回路１２はその内部におけるプログラムよりメニュー設定手段１３により音質選択に関する各種メニューを用意する。次に表示制御手段１４がそのメニューをどのように表示するかを整える。オンスクリーン表示回路１５によって表示されるべきイメージが作成され、表示制御回路７によってＡＶ復調手段５の映像出力Ｖに重畳され、予め定められた適当な場所にメニュー画面が表示される。この時ＣＰＵ回路１２からは記憶装置９に対し、チューナ３より出力されるテレビ信号を記録すべく制御信号が与えられ、メニュー画面が表示されている期間におけるテレビ信号が記録される。
【００１４】
リモコン１０によりメニュー画面が閉じるべく操作が行われると、ＣＰＵ回路１２は記憶装置９に対してテレビ信号の記録を停止させるとともに表示制御回路７における映像出力Ｖに対するメニュー画面の重畳を中止し、従来どおりのチューナ３出力によるテレビ信号が表示制御回路７より出力される。
【００１５】
記憶装置９に記録されたテレビ信号を再生するには以下のとおりの処理を行う。即ち、ＣＰＵ回路１２は記憶装置９より記録されたテレビ信号を読み出す。セレクタ４により記録装置９出力をＡＶ復調手段５に与えるよう制御信号を発生する。以下は通常時と同様にテレビ信号の再生を行う。
【００１６】
故に視聴者は、番組終了後にリモコン１０を操作して記録装置９に蓄えられたテレビ信号を再生すべく操作を行えば、メニュー画面によって見ることができなかった部分の視聴を行うことができる。
【００１７】
図２は記憶装置９としてＦＩＦＯ（先入れ先出しのバッファ回路）を用いた場合のタイミング図である。図２の（Ａ）はチューナ２の出力信号、同（Ｂ）はメニュー設定手段１３から指示されるメニュー画面のオン・オフ制御信号、同（Ｃ）は記憶装置９への書込アドレス信号、同（Ｄ）は記憶装置９への読み出しアドレス信号、同（Ｅ）はセレクタ４からの出力信号、同（Ｆ）は表示制御回路７（あるいは映像出力回路８）から出力される信号、同（Ｇ）は（Ｆ）で示した信号の詳細である。
【００１８】
この図とともに動作を説明すると、時刻Ｔ１において、リモコン１０による操作でメニュー画面の表示が要求されると、ＣＰＵ回路１２からは記憶装置９に対し、チューナ３より出力されるテレビ信号を記録すべく制御信号が与えられ、メニュー画面表示が開始されて以降のテレビ信号が記録される（書込アドレスがインクリメントされる）。
【００１９】
時刻Ｔ２において、リモコン１０による操作でメニュー画面が閉じるべく操作が行われると、ＣＰＵ回路１２は記憶装置９に対してテレビ信号の書き込みを開始したアドレスより読み出しを行うよう制御を行うとともにセレクタ４に対し記憶装置９出力をＡＶ復調手段５に出力すべく制御を行う。また、表示制御回路７における映像出力Ｖに対するメニュー画面の重畳を中止し、ＡＶ復調手段５より得られる映像信号Ｖを出力させる。故に、時刻Ｔ２以降はＦＩＦＯである記憶装置９の出力が画面より表示され、メニュー画面表示によって見ることのできなくなったところから番組を継続的に見ることができる。
【００２０】
時刻Ｔ３で再びリモコン１０による操作でメニュー画面の表示が要求されると、ＣＰＵ回路１２からは記憶装置９に対しては継続的にチューナ３より出力されるテレビ信号を記録させる（図２（Ｃ）参照）。一方、記憶装置９の読み出しについてはこれを停止するとともにその読み出しアドレスを保持する（図２（Ｄ）参照）。メニュー画面の表示については前述の時刻Ｔ１〜Ｔ２と同様である。
【００２１】
時刻Ｔ４において、リモコン１０による操作でメニュー画面が閉じるべく操作が行われると、ＣＰＵ回路１２は記憶装置９に対して先ほど読み出しを停止したアドレスより読み出しを行うよう制御を行うとともに表示制御回路７において映像出力Ｖに対するメニュー画面の重畳を中止し、ＡＶ復調手段５より得られる映像信号を出力させる。
【００２２】
故に、時刻Ｔ４以降はＦＩＦＯである記憶装置９の出力が２度目のメニュー画面表示によって見られなくなった画面の部分より表示され、メニュー画面表示による番組の見逃しがなくなるとともに、番組が放送されているのと同じ順序で番組を見ることができる。
【００２３】
この場合、番組が実際に放送されている時刻よりもやや遅れて番組を見続けることになるが、例えばあまり見たくない部分があれば途中で早送りをする、或いは、全体を１．２倍速程度の早送り映像で見て実際の放送に追いつくようにする等すればよい。記憶装置９による再生画面が実際の放送に追いついた場合の処理については、リモコン１０によって視聴者がその処理を指示する、或いはＣＰＵ回路１２が追いついたことを検出して（図２（Ｃ）の書き込みアドレスと図に（Ｄ）の読み出しアドレスが同じになれば追いついたと判定できる）、自動的にセレクタ４を切り替えるようにしても良い。
【００２４】
なお、上記実施の形態においては、チューナ３が出力するテレビ信号を記録装置９に記録するようにしたが、ＡＶ復調手段５が出力する映像信号、音声信号を記録するようにしても良い。この際、情報圧縮して記録するか、そのままの状態で記録するかは設計的事項であってどちらでも良い。また、テレビ放送自体がデジタル信号である場合は、チューナ３によって検波されたテレビ信号それ自体が圧縮された映像信号と音声信号であると想定できるので、図１に示すとおり、チューナ３出力を記録装置９に記録する方が全体の構成が簡単にできる。
【００２５】
また、以上の実施の形態においてはリモコン１０の操作によってメニュー画面が表示される場合について述べたが、例えばテレビジョン受像機の取り扱い方等を示すヘルプ画面が表示されるような場合であっても同様の処理を行って良いものである。要は、リモコン等により、放送局側が意図していない画面がテレビジョン受像機に表示されるような場合すべてについて本発明は適用できるものである。
【産業上の利用可能性】
【００２６】
本発明にかかるテレビジョン受像機は、視聴者によるメニュー画面の表示等、コンテンツを送信している側からは想定できない行為が発生したときのコンテンツ内容を保持するようにしているので送信したコンテンツを余すところなく視聴者に伝えることができ、ネットワークを用いたパソコンに対するコンテンツ配信の用途にも適応できる。
【図面の簡単な説明】
【００２７】
【図１】本発明によるテレビジョン受像機の実施例を表すブロック図
【図２】本発明おける各ブロックの信号の流れを示すタイミング図
【符号の説明】
【００２８】
１    テレビジョン受像機
２    アンテナ
３    チューナ
４    セレクタ
５    ＡＶ復調手段
６    音声出力回路
７    表示制御回路
８    映像出力回路
９    記憶装置
１０    リモコン
１１    リモコン受信回路
１２    ＣＰＵ回路
１３    メニュー設定手段
１４    表示制御手段
１５    オンスクリーン表示回路
１６    メモリ
【図１】
2005136688.tif 000003
【図２】
2005136688.tif 000004